(57)【要約】【課題】多チャンネルのオーディオデータを出力させる複数の出力制御装置を協働させて、１台の出力制御装置にて対応可能なチャンネル数よりもさらに多いチャンネルのオーディオデータを出力させる。【解決手段】デコード部６６は、符号化データを受信して復号し、出力制御部６７は、復号により得られる複数チャンネル分のオーディオデータのうち、所定数のチャンネル分のオーディオデータの出力を制御し、通信部６８は、復号により得られる複数チャンネル分のオーディオデータのうち、出力制御部６７により出力が制御されたオーディオデータとは異なるオーディオデータを、HDMIケーブルを介して接続されているオーディオアンプ２３1又は２３2に送信し、制御部６２は、オーディオアンプ２３1又は２３2を、HDMIケーブルを介して制御する。本発明は、例えばオーディオデータをスピーカに出力させるAVアンプやオーディオアンプ等に適用できる。【選択図】図５
2011124925.tif 000002
【特許請求の範囲】
【請求項１】
オーディオデータの出力を制御するオーディオ出力装置と接続されている出力制御装置において、
複数チャンネル分のオーディオデータが符号化された符号化データを受信する受信手段と、
前記符号化データを復号する復号手段と、
復号により得られる前記複数チャンネル分のオーディオデータのうち、所定数のチャンネル分のオーディオデータの出力を制御する出力制御手段と、
復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、
前記オーディオ出力装置を、前記統合ケーブルを介して制御する制御手段と
を含む出力制御装置。
【請求項２】
前記制御手段は、前記オーディオ出力装置を制御して、前記オーディオ出力装置が出力するオーディオデータに対応する音声の音量を調整する
請求項１に記載の出力制御装置。
【請求項３】
前記オーディオ出力装置から出力される音の大きさから、前記出力制御手段から出力される音の大きさを差し引いて得られるオフセット値を算出する算出手段をさらに含み、
前記制御手段は、前記オフセット値に基づいて、前記オーディオ出力装置が出力するオーディオデータに対応する音声の音量を調整する
請求項２に記載の出力制御装置。
【請求項４】
前記制御手段は、さらに、前記出力制御手段において出力されるオーディオデータと、前記オーディオ出力装置において出力されるオーディオデータとが同一のタイミングで出力されるように制御する
請求項３に記載の出力制御装置。
【請求項５】
前記オーディオ出力装置のEDIDを取得する取得手段と、
前記出力制御装置のEDIDを保持する保持手段と、
前記出力制御装置のEDID、及び前記オーディオ出力装置のEDIDに基づいて、前記出力制御装置及び前記オーディオ出力装置により構成される出力制御システムのEDIDを生成する生成手段と
をさらに含む請求項４に記載の出力制御装置。
【請求項６】
前記制御手段は、前記オーディオ出力装置を制御して、前記オーディオ出力装置が有する複数の出力部から出力されるオーディオデータを設定する
請求項５に記載の出力制御装置。
【請求項７】
前記EDIDは、前記オーディオデータを受信してから出力するまでに要する時間を表すレイテンシ、オーディオデータを出力することが可能なチャンネル数、又は復号可能な符号化方法の少なくとも１つを含む
請求項５に記載の出力制御装置。
【請求項８】
前記受信手段は、前記統合ケーブルを介して前記符号化データを受信する
請求項１に記載の出力制御装置。
【請求項９】
前記統合テーブルはHDMIケーブルであり、
前記制御手段は、前記HDMIケーブルのCECライン経由で前記オーディオ出力装置を制御する
請求項１に記載の出力制御装置。
【請求項１０】
前記送信手段は、前記符号化データを、前記HDMIケーブルのARC経由で前記オーディオ出力装置に送信する
請求項９に記載の出力制御装置。
【請求項１１】
前記送信手段は、復号後の前記複数チャンネル分のデータのうち、前記出力制御手段により出力が制御されたデータとは異なるデータを、前記HDMIケーブルのTMDSチャンネルライン経由で前記オーディオ出力装置に送信する
請求項９に記載の出力制御装置。
【請求項１２】
前記出力制御手段は、前記オーディオデータに対応する音声を出力する複数の出力部を制御して、対応する音声を出力させる
請求項１に記載の出力制御装置。
【請求項１３】
オーディオデータの出力を制御するオーディオ出力装置と接続されている出力制御装置の出力制御方法において、
前記出力制御装置は、
受信手段と、
復号手段と、
出力制御手段と、
送信手段と、
制御手段と
を含み、
前記受信手段が、複数チャンネル分のオーディオデータが符号化された符号化データを受信し、
前記復号手段が、前記符号化データを復号し、
前記出力制御手段が、復号により得られる前記複数チャンネル分のオーディオデータのうち、所定数のチャンネル分のオーディオデータの出力を制御し、
前記送信手段が、復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信し、
前記制御手段が、前記オーディオ出力装置を、前記統合ケーブルを介して制御する
ステップを含む出力制御方法。
【請求項１４】
オーディオデータの出力を制御するオーディオ出力装置と接続されている出力制御装置のコンピュータを、
複数チャンネル分のオーディオデータが符号化された符号化データを受信する受信手段と、
前記符号化データを復号する復号手段と、
復号により得られる前記複数チャンネル分のオーディオデータのうち、所定数のチャンネル分のオーディオデータの出力を制御する出力制御手段と、
復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、
前記オーディオ出力装置を、前記統合ケーブルを介して制御する制御手段と
して機能させるためのプログラム。
【請求項１５】
複数チャンネル分のデータが符号化された符号化データを受信するマスタ装置と、前記マスタ装置に接続されたスレーブ装置とにより構成される出力制御システムにおいて、
前記マスタ装置は、
複数チャンネル分のオーディオデータが符号化された符号化データを受信する第１の受信手段と、
前記符号化データを復号する復号手段と、
復号により得られる前記複数チャンネル分のオーディオデータのうち、所定数のチャンネル分のオーディオデータの出力を制御する第１の出力制御手段と、
復号により得られる前記複数チャンネル分のオーディオデータのうち、前記第１の出力制御手段により出力が制御されたオーディオデータとは異なるオーディオデータを、少なくとも、ビデオライン、オーディオライン、及び制御ラインが統合されている統合ケーブルを介して接続されているスレーブ装置に送信する送信手段と、
前記スレーブ装置を、前記統合ケーブルを介して制御する制御手段と
を含み、
前記スレーブ装置は、
前記送信手段からのオーディオデータを受信する第２の受信手段と、
受信したオーディオデータの出力を制御する第２の出力制御手段と、
前記制御手段の制御により、所定の処理を実行する実行手段と
を含む
出力制御システム。
【発明の詳細な説明】
【技術分野】
【０００１】
本発明は、出力制御装置、出力制御方法、プログラム、及び出力制御システムに関し、特に、例えば、多チャンネルのオーディオデータをスピーカから出力させる複数の出力制御装置を協働させて、１台の出力制御装置にて対応可能なチャンネル数よりもさらに多いチャンネルのオーディオデータを出力させるようにした出力制御装置、出力制御方法、プログラム、及び出力制御システムに関する。
【背景技術】
【０００２】
従来、例えば、テレビジョン受像機と、音声を出力（再生）するAV(audio visual)レシーバ等とを相互に接続するHDMI(high definition multimedia interface)ケーブルが存在する（例えば、特許文献１を参照）。
【０００３】
このHDMIケーブルは、昨今、高品位デジタルAVコンテンツの伝送に用いるデジタルインタフェースの規格としてデファクトスタンダード（事実上の標準）となっているHDMI(R)の仕様書にしたがい製造されたケーブルである。
【０００４】
また、近年では、例えば、BS（broadcasting satellite）デジタル放送における、符号化された２２．２チャンネル（２４チャンネル）分のオーディオデータの放送（配信）が検討されている。
【０００５】
現状のHDMIケーブルは、最大で７．１チャンネル（８チャンネル）分のオーディオデータまでの伝送が可能であって、仮に、BS放送等において、２２．２チャンネル（２４チャンネル）分のオーディオデータの放送が行なわれるようになった場合、現状のHDMIケーブルを用いて、復号済みの２２．２チャンネル（２４チャンネル）分のオーディオデータを伝送することはできない。
【０００６】
また、従来、例えば、スーパーオーディオCDマルチチャンネルプレーヤから出力される５．１チャンネル（６チャンネル）分のオーディオデータを、オーディオケーブルを介して、３台の各オーディオアンプに、２チャンネルずつ分配し、それらを連動して出力するために、３台のオーディオアンプを専用の制御用ケーブルで相互に接続する接続技術が存在する。
【０００７】
この接続技術によれば、専用の制御用ケーブルで３台のオーディオアンプを相互に接続することにより、スーパーオーディオCDマルチチャンネルプレーヤから３台のオーディオアンプに供給される５．１チャンネル（６チャンネル）分のオーディオデータを、連動して出力させる音声出力システムを形成することができる。
【先行技術文献】
【特許文献】
【０００８】
【特許文献１】特開２００７−１０４１３８号公報
【発明の概要】
【発明が解決しようとする課題】
【０００９】
しかしながら、上述したように、従来においては、５．１チャンネル（６チャンネル）分のオーディオデータを連動して出力させるために、３台のオーディオアンプを、専用の制御用ケーブルを用いて相互に接続する必要がある。
【００１０】
このため、３台のオーディオアンプとして、専用の制御用ケーブルを用いて接続可能なオーディオアンプを用いる必要があり、汎用性に乏しいものとなっていた。
【００１１】
本発明は、このような状況に鑑みてなされたものであり、例えば、HDMIケーブル等の汎用性を有する統合ケーブルを用いて、多チャンネルのオーディオデータを出力させる複数の出力制御装置を協働させて、１台の出力制御装置にて対応可能なチャンネル数よりもさらに多いチャンネルのオーディオデータを出力できるようにするものである。
【課題を解決するための手段】
【００１２】
本発明の第１の側面の出力制御装置は、オーディオデータの出力を制御するオーディオ出力装置と接続されている出力制御装置であって、複数チャンネル分のオーディオデータが符号化された符号化データを受信する受信手段と、前記符号化データを復号する復号手段と、復号により得られる前記複数チャンネル分のオーディオデータのうち、所定数のチャンネル分のオーディオデータの出力を制御する出力制御手段と、復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、前記オーディオ出力装置を、前記統合ケーブルを介して制御する制御手段とを含む出力制御装置である。
【００１３】
前記制御手段には、前記オーディオ出力装置を制御して、前記オーディオ出力装置が出力するオーディオデータに対応する音声の音量を調整させるようにすることができる。
【００１４】
前記オーディオ出力装置から出力される音の大きさから、前記出力制御手段から出力される音の大きさを差し引いて得られるオフセット値を算出する算出手段をさらに設けることができ、前記制御手段には、前記オフセット値に基づいて、前記オーディオ出力装置が出力するオーディオデータに対応する音声の音量を調整させるようにすることができる。
【００１５】
前記制御手段には、さらに、前記出力制御手段において出力されるオーディオデータと、前記オーディオ出力装置において出力されるオーディオデータとが同一のタイミングで出力されるように制御させることができる。
【００１６】
前記オーディオ出力装置のEDIDを取得する取得手段と、前記出力制御装置のEDIDを保持する保持手段と、前記出力制御装置のEDID、及び前記オーディオ出力装置のEDIDに基づいて、前記出力制御装置及び前記オーディオ出力装置により構成される出力制御システムのEDIDを生成する生成手段とをさらに設けることができる。
【００１７】
前記制御手段には、前記オーディオ出力装置を制御して、前記オーディオ出力装置が有する複数の出力部から出力されるオーディオデータを設定させることができる。
【００１８】
前記EDIDは、前記オーディオデータを受信してから出力するまでに要する時間を表すレイテンシ、オーディオデータを出力することが可能なチャンネル数、又は復号可能な符号化方法の少なくとも１つを含むものとすることができる。
【００１９】
前記受信手段には、前記統合ケーブルを介して前記符号化データを受信させることができる。
【００２０】
前記統合テーブルはHDMIケーブルであり、前記制御手段には、前記HDMIケーブルのCECライン経由で前記オーディオ出力装置を制御させることができる。
【００２１】
前記送信手段には、前記符号化データを、前記HDMIケーブルのARC経由で前記オーディオ出力装置に送信させることができる。
【００２２】
前記送信手段には、復号後の前記複数チャンネル分のデータのうち、前記出力制御手段により出力が制御されたデータとは異なるデータを、前記HDMIケーブルのTMDSチャンネルライン経由で前記オーディオ出力装置に送信させることができる。
【００２３】
前記出力制御手段には、前記オーディオデータに対応する音声を出力する複数の出力部を制御して、対応する音声を出力させることができる。
【００２４】
本発明の第１の側面の出力制御方法は、オーディオデータの出力を制御するオーディオ出力装置と接続されている出力制御装置の出力制御方法であって、前記出力制御装置は、受信手段と、復号手段と、出力制御手段と、送信手段と、制御手段とを含み、前記受信手段が、複数チャンネル分のオーディオデータが符号化された符号化データを受信し、前記復号手段が、前記符号化データを復号し、前記出力制御手段が、復号により得られる前記複数チャンネル分のオーディオデータのうち、所定数のチャンネル分のオーディオデータの出力を制御し、前記送信手段が、復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信し、前記制御手段が、前記オーディオ出力装置を、前記統合ケーブルを介して制御するステップを含む出力制御方法である。
【００２５】
本発明の第１の側面のプログラムは、オーディオデータの出力を制御するオーディオ出力装置と接続されている出力制御装置のコンピュータを、複数チャンネル分のオーディオデータが符号化された符号化データを受信する受信手段と、前記符号化データを復号する復号手段と、復号により得られる前記複数チャンネル分のオーディオデータのうち、所定数のチャンネル分のオーディオデータの出力を制御する出力制御手段と、復号により得られる前記複数チャンネル分のオーディオデータのうち、前記出力制御手段により出力が制御されたオーディオデータとは異なるオーディオデータ、又は前記符号化データのいずれか一方を、少なくとも、ビデオライン、オーディオライン、及び制御ラインが統合されている統合ケーブルを介して接続されているオーディオ出力装置に送信する送信手段と、前記オーディオ出力装置を、前記統合ケーブルを介して制御する制御手段として機能させるためのプログラムである。
【００２６】
本発明の第１の側面によれば、複数チャンネル分のオーディオデータが符号化された符号化データが受信されて復号され、復号により得られる前記複数チャンネル分のオーディオデータのうち、所定数のチャンネル分のオーディオデータの出力が制御され、復号により得られる前記複数チャンネル分のオーディオデータのうち、出力が制御されたオーディオデータとは異なるオーディオデータ、又は前記符号化データのいずれか一方が、少なくとも、ビデオライン、オーディオライン、及び制御ラインが統合されている統合ケーブルを介して接続されているオーディオ出力装置に送信され、前記オーディオ出力装置が、前記統合ケーブルを介して制御される。
【００２７】
本発明の第２の側面の出力制御システムは、複数チャンネル分のデータが符号化された符号化データを受信するマスタ装置と、前記マスタ装置に接続されたスレーブ装置とにより構成される出力制御システムであって、前記マスタ装置は、複数チャンネル分のオーディオデータが符号化された符号化データを受信する第１の受信手段と、前記符号化データを復号する復号手段と、復号により得られる前記複数チャンネル分のオーディオデータのうち、所定数のチャンネル分のオーディオデータの出力を制御する第１の出力制御手段と、復号により得られる前記複数チャンネル分のオーディオデータのうち、前記第１の出力制御手段により出力が制御されたオーディオデータとは異なるオーディオデータを、少なくとも、ビデオライン、オーディオライン、及び制御ラインが統合されている統合ケーブルを介して接続されているスレーブ装置に送信する送信手段と、前記スレーブ装置を、前記統合ケーブルを介して制御する制御手段とを含み、前記スレーブ装置は、前記送信手段からのオーディオデータを受信する第２の受信手段と、受信したオーディオデータの出力を制御する第２の出力制御手段と、前記制御手段の制御により、所定の処理を実行する実行手段とを含む出力制御システムである。
【００２８】
本発明の第２の側面によれば、マスタ装置により、複数チャンネル分のオーディオデータが符号化された符号化データが受信されて復号され、復号により得られる前記複数チャンネル分のオーディオデータのうち、所定数のチャンネル分のオーディオデータの出力が制御され、復号により得られる前記複数チャンネル分のオーディオデータのうち、出力が制御されたオーディオデータとは異なるオーディオデータが、少なくとも、ビデオライン、オーディオライン、及び制御ラインが統合されている統合ケーブルを介して接続されているスレーブ装置に送信され、前記スレーブ装置が、前記統合ケーブルを介して制御される。そして、前記スレーブ装置により、前記マスタ装置からのオーディオデータが受信され、受信されたオーディオデータの出力が制御され、前記マスタ装置の制御により、所定の処理が実行される。
【発明の効果】
【００２９】
本発明によれば、例えば、HDMIケーブル等の汎用性を有する統合ケーブルを用いて、多チャンネルのオーディオデータを出力させる複数の出力制御装置を協働させて、１台の出力制御装置にて対応可能なチャンネル数よりもさらに多いチャンネルのオーディオデータを出力させることができる。
【図面の簡単な説明】
【００３０】
【図１】本実施の形態である出力制御システムの構成例を示す図である。
【図２】住居内の部屋に構築された出力制御システムの外観例を示す図である。
【図３】スピーカ割当画面の一例を示す図である。
【図４】マッピング情報の一例を示す図である。
【図５】AVアンプの構成例を示すブロック図である。
【図６】オーディオアンプの構成例を示すブロック図である。
【図７】AVアンプが行なうスピーカ指定処理を説明するためのフローチャートである。
【図８】オーディオアンプが行なうスピーカ設定処理を説明するためのフローチャートである。
【図９】AVアンプが行なうEDID生成処理を説明するためのフローチャートである。
【図１０】オーディオアンプが行なうEDID供給処理を説明するためのフローチャートである。
【図１１】音量の調整を行なう場合に形成される出力制御システムの一例を示す図である。
【図１２】AVアンプが行なうオフセット算出処理を説明するためのフローチャートである。
【図１３】オーディオアンプが行なうオフセット取得処理について説明するためのフローチャートである。
【図１４】出力制御システムが行なう通信の一例を示す図である。
【図１５】出力制御システムが行なう通信の他の一例を示す図である。
【図１６】出力制御システムが行なう通信のさらに他の一例を示す図である。
【図１７】コンピュータの構成例を示すブロック図である。
【発明を実施するための形態】
【００３１】
以下、発明を実施するための形態（以下、本実施の形態という）について説明する。なお、説明は以下の順序で行う。
１．本実施の形態（２２．２チャンネル分のオーディオデータに対応する音声を出力する出力制御システムの一例）
２．変形例
【００３２】
＜１．本実施の形態＞
[出力制御システム１の構成例]
図１は、本実施の形態である出力制御システム１の構成例を示している。
【００３３】
この出力制御システム１は、アンテナ２１aからのデジタル放送信号を受信するテレビジョン受像機２１、スピーカ４１1乃至４１9が接続されたマスタ装置としてのAV(audio visual)アンプ２２、スピーカ４１10乃至４１17が接続されたスレーブ装置としてのオーディオアンプ２３1、及びスピーカ４１18乃至４１25が接続されたスレーブ装置としてのオーディオアンプ２３2により構成されている。
【００３４】
また、出力制御システム１において、AVアンプ２２は、テレビジョン受像機２１、オーディオアンプ２３1、及びオーディオアンプ２３2それぞれと、HDMI(high-definition multimedia interface)ケーブルを介して接続されている。
【００３５】
ここで、HDMIケーブルとは、HDMI1.4の規格に準拠して製造されたものであり、HDMIケーブルには、信号線として、例えば、ARC(audio return channel)ライン、TMDS(transition minimized differential signaling)チャンネルライン、CEC(consumer electronics control)ライン、及びDDC(display data channel)ライン等が含まれている。
【００３６】
なお、ARCラインとは、TMDSチャンネルラインとは逆の方向に符号化されたオーディオデータを通信するために用いられるものである。また、TMDSチャンネルラインとは、ビデオデータやオーディオデータを通信するために用いられるものである。さらに、CECラインとは、制御信号（コマンド）を双方向に通信するために用いられるものである。
【００３７】
また、DDCラインとは、EDID(extended display identification data)を、TMDSチャンネルラインを介してオーディオデータ等が入力されるHDMI端子を有するHDMIシンク機器（例えば、オーディオアンプ２３1やオーディオアンプ２３2）から、TMDSチャンネルラインを介してオーディオデータ等を出力するHDMI端子を有するHDMIソース機器（例えば、AVアンプ２２）へ通信（供給）するために用いられるものである。
【００３８】
なお、EDIDとは、HDMIシンク機器がTMDSチャンネルラインで受信可能な符号化データ（例えば符号化されたオーディオデータ）の符号化方法（HDMIシンク機器において復号可能な符号化方法）、オーディオデータを受信してから出力するまでに要する時間を表すレイテンシ、又は出力することが可能なオーディオデータのチャンネル数等の少なくとも１つを含む情報を表す。
【００３９】
さらに、この出力制御システム１は、例えば、住居内の部屋に配置される。住居内の部屋に配置された出力制御システム１については、図２を参照して後述する。
【００４０】
テレビジョン受像機２１は、アンテナ２１aから受信した複数のデジタル放送信号から、例えばユーザの選局に対応するデジタル放送信号を受信する。なお、デジタル放送信号には、ビデオデータが符号化された符号化ビデオデータ、及び２２．２チャンネル（２４チャンネル）分のオーディオデータが符号化された符号化オーディオデータが含まれているものとする。
【００４１】
テレビジョン受像機２１は、受信したデジタル放送信号に含まれる符号化ビデオデータを復号し、復号後のビデオデータに対応する画像を表示する。また、テレビジョン受像機２１は、受信したデジタル放送信号に含まれる符号化オーディオデータを、HDMIケーブルのARCライン経由で、AVアンプ２２に供給する。
【００４２】
マスタ装置としてのAVアンプ２２は、テレビジョン受像機２１からARCライン経由で供給されてくる符号化オーディオデータを復号し、その復号により得られる２２．２チャンネル分のオーディオデータを、スピーカ４１1乃至４１9から出力させる８．１チャンネル分のオーディオデータ、スピーカ４１10乃至４１17から出力させる７．１チャンネル分のオーディオデータ、及びスピーカ４１18乃至４１24から出力させる７チャンネル分のオーディオデータに分割する。
【００４３】
なお、スピーカ４１1乃至４１25のうち、２２．２チャンネル分のオーディオデータを出力するスピーカ４１1乃至４１24は、ユーザがスピーカを指定する指定操作に応じて、AVアンプ２２、オーディオアンプ２３1及び２３2により設定される。
【００４４】
２２．２チャンネル分のオーディオデータそれぞれを出力するスピーカを設定する処理については、その概略を、図３及び図４を参照して後述するとともに、その詳細を、図７及び図８のフローチャートを参照して後述する。
【００４５】
AVアンプ２２は、分割により得られる８．１チャンネル分のオーディオデータを、それぞれ、スピーカ４１1乃至４１9に供給して、対応する音声を出力させる。
【００４６】
なお、スピーカ４１1乃至４１9には、それぞれの音量を揃える処理を行なうアプリケーション等により音量が補正されたオーディオデータが供給されるものとし、スピーカ４１1乃至４１9は、それぞれ、同一の音量で音声を出力するようになっているものとする。このことは、スピーカ４１10乃至４１17、及びスピーカ４１18乃至４１24についても同様である。
【００４７】
さらに、スピーカ４１1乃至４１9では、それぞれのレイテンシを揃える処理を行なうアプリケーション等により、スピーカ４１1乃至４１9それぞれのレイテンシが同一のレイテンシに調整されているものとする。このため、スピーカ４１1乃至４１9は、それぞれ、供給されるオーディオデータに対応する音声を、同一のタイミングで出力するようになっている。
【００４８】
なお、レイテンシを揃える処理を行なうアプリケーション等により調整されたスピーカ４１1乃至４１9それぞれのレイテンシ（同一のレイテンシ）は、AVアンプ２２のレイテンシとして、AVアンプ２２のEDIDに含まれているものとする。
【００４９】
このことは、スピーカ４１10乃至４１17、及びスピーカ４１18乃至４１24についても同様である。
【００５０】
したがって、スピーカ４１10乃至４１17は、それぞれ、供給されるオーディオデータに対応する音声を、同一のタイミングで出力するようになっているとともに、スピーカ４１10乃至４１17それぞれのレイテンシは、オーディオアンプ２３1のレイテンシとして、オーディオアンプ２３1のEDIDに含まれているものとなる。
【００５１】
また、スピーカ４１18乃至４１24は、それぞれ、供給されるオーディオデータに対応する音声を、同一のタイミングで出力するようになっているとともに、スピーカ４１18乃至４１24それぞれのレイテンシは、オーディオアンプ２３2のレイテンシとして、オーディオアンプ２３2のEDIDに含まれているものとする。
【００５２】
AVアンプ２２は、分割により得られる７．１チャンネル分のオーディオデータを、HDMIケーブルのTMDSチャンネルライン経由で、オーディオアンプ２３1に供給する。
【００５３】
また、AVアンプ２２は、分割により得られる７チャンネル分のオーディオデータを、HDMIケーブルのTMDSチャンネルライン経由で、オーディオアンプ２３2に供給する。
【００５４】
AVアンプ２２は、HDMIケーブルのDDCライン経由で、オーディオアンプ２３1のEDIDを読み出す。
【００５５】
また、AVアンプ２２は、HDMIケーブルのDDCライン経由で、オーディオアンプ２３2のEDIDを読み出す。
【００５６】
AVアンプ２２は、HDMIケーブルのDDCライン経由で、オーディオアンプ２３1から読み出したオーディオアンプ２３1のEDID、及びオーディオアンプ２３2から読み出したオーディオアンプ２３2のEDID、並びにAVアンプ２２が保持しているAVアンプ２２のEDIDに基づいて、出力制御システム１のEDIDを生成する。
【００５７】
なお、AVアンプ２２が、AVアンプ２２、オーディオアンプ２３1、及びオーディオアンプ２３2それぞれのEDIDに基づいて、出力制御システム１のEDIDを生成するEDID生成処理の詳細は、図９のフローチャートを参照して後述する。また、オーディオアンプ２３1及び２３2が、自己のEDIDを供給するEDID供給処理の詳細は、図１０のフローチャートを参照して後述する。
【００５８】
スレーブ装置としてのオーディオアンプ２３1は、AVアンプ２２からの７．１チャンネル（８チャンネル）分のオーディオデータを、それぞれ、スピーカ４１10乃至４１17に供給して、対応する音声を出力させる。
【００５９】
スレーブ装置としてのオーディオアンプ２３2は、AVアンプ２２からの７チャンネル分のオーディオデータを、それぞれ、スピーカ４１18乃至４１24に供給して、対応する音声を出力させる。
【００６０】
なお、本実施の形態において、オーディオアンプ２３2では、スピーカ４１18乃至４１25のうち、スピーカ４１18乃至４１24から音声が出力され、スピーカ４１25から音声が出力されないように設定されている。
【００６１】
[住居内の部屋に構築された出力制御システム１の外観例]
次に、図２は、住居内の部屋に構築された出力制御システム１の外観例を示している。
【００６２】
図２において、住居内の部屋には、テレビジョン受像機２１の画面（白色の矩形で示す）の他、丸印及び矩形で示される位置に、スピーカが配置されている。なお、図中、丸印及び矩形に付加されている文字列（アルファベット）は、丸印及び矩形が示す位置を表している。
【００６３】
また、文字列の隣に存在する括弧内に記載された番号は、スピーカ４１1乃至４１24に付加されている下付きの数字１乃至２４と対応しており、その位置に存在するスピーカを表している。
【００６４】
したがって、例えば、丸印で示される位置FL(1)には、スピーカ４１1が配置されている。
【００６５】
なお、図２では、図面が煩雑になるのを避けるために、AVアンプ２２、オーディオアンプ２３1、オーディオアンプ２３2、及びスピーカ４１1乃至４１25の図示を省略し、テレビジョン受像機２１の画面、及び複数のスピーカ４１1乃至４１24が配置された位置のみを図示している。
【００６６】
AVアンプ２２は、テレビジョン受像機２１から供給される符号化オーディオデータを復号して得られる２２．２チャンネル分のオーディオデータそれぞれを出力するスピーカ４１1乃至４１24を指定するスピーカ指定処理を行なう。
【００６７】
AVアンプ２２は、テレビジョン受像機２１を制御し、図３に示されるようなスピーカ割当画面をテレビジョン受像機２１に表示させる。
【００６８】
[スピーカ割当画面の一例]
図３は、スピーカ割当画面の一例を示している。
【００６９】
図３に示されるように、スピーカ割当画面における左側の領域には、AVアンプ２２において出力される８．１チャンネルCh0乃至Ch7及びLFE(low frequency effect)それぞれに対応するオーディオデータを出力するスピーカを、プルダウンメニューにより指定するための画面が表示される。
【００７０】
また、スピーカ割当画面における中央の領域には、オーディオアンプ２３1において出力される７．１チャンネルCh0乃至Ch6及びLFEそれぞれに対応するオーディオデータを出力するスピーカを、プルダウンメニューにより指定するための画面が表示される。
【００７１】
さらに、スピーカ割当画面における右側の領域には、オーディオアンプ２３2において出力される７．１チャンネルCh0乃至Ch6及びLFEそれぞれに対応するオーディオデータを出力するスピーカを、プルダウンメニューにより指定するための画面が表示される。
【００７２】
例えば、ユーザが、テレビジョン受像機２１のリモートコントローラ（図示せず）、又はAVアンプ２２の操作部（図５の操作部６１）を用いて、カーソル５１を領域５２に移動させて選択する選択操作を行うと、プルダウンメニューとして、AVアンプ２２において出力される８．１チャンネルCh0乃至Ch7及びLFEそれぞれに対応させるべき、図２に示す２４個の位置（FL,FR,BL,BR,…）が表示される。
【００７３】
ユーザは、プルダウンメニューに表示された位置から、例えば、位置FLを指定すると、AVアンプ２２において出力される８．１チャンネル分のオーディオデータのうち、チャンネルCh0に対応するオーディオデータを出力するスピーカが、位置FLに存在するスピーカ４１1に指定される。
【００７４】
このようにして、ユーザは、AVアンプ２２において８．１チャンネル分のオーディオデータを出力するスピーカの他、オーディオアンプ２３1において７．１チャンネル分のオーディオデータを出力するスピーカ、及びオーディオアンプ２３2において７チャンネル分のオーディオデータを出力するスピーカを指定した後、完了ボタン５３を押下する押下操作を行う。
【００７５】
これにより、AVアンプ２２は、８．１チャンネルCh0乃至Ch7及びLFEそれぞれに対応するオーディオデータが、それぞれ指定されたスピーカ４１1乃至４１9から出力されるように設定する。
【００７６】
また、AVアンプ２２は、オーディオアンプ２３1の７．１チャンネルCh0乃至Ch6及びLFEそれぞれに対応するオーディオデータを出力するスピーカ４１10乃至４１17を表すマッピング情報を生成し、CECライン経由で、オーディオアンプ２３1に供給する。
【００７７】
これにより、オーディオアンプ２３1は、AVアンプ２２からのマッピング情報に基づいて、７．１チャンネルCh0乃至Ch6及びLFEそれぞれに対応するオーディオデータが、それぞれ指定されたスピーカ４１10乃至４１17から出力されるように設定する。
【００７８】
さらに、AVアンプ２２は、オーディオアンプ２３2の７.１チャンネルCh0乃至Ch6及びLFEのうち、７チャンネルCh0乃至Ch6それぞれに対応するオーディオデータを出力するスピーカ４１18乃至４１24を表すマッピング情報であって、且つ、０．１チャンネルLFE（LFEチャンネル）はいずれのスピーカ４１18乃至４１25とも非接続である（スピーカ４１18乃至４１25は、いずれもLFEチャンネルに対応するオーディオデータを出力しない）ことを表すマッピング情報を生成し、CECライン経由で、オーディオアンプ２３2に供給する。
【００７９】
これにより、オーディオアンプ２３2は、AVアンプ２２からのマッピング情報に基づいて、７チャンネルCh0乃至Ch6それぞれに対応するオーディオデータが、それぞれ指定されたスピーカ４１18乃至４１24から出力されるように設定するとともに、０．１チャンネルLFEは、いずれのスピーカ４１18乃至４１25とも非接続である（スピーカ４１18乃至４１25は、いずれもLFEチャンネルに対応するオーディオデータを出力しない）ように設定する。
【００８０】
[マッピング情報の一例]
図４は、AVアンプ２２からオーディオアンプ２３1に対して送信されるマッピング情報の一例を示している。
【００８１】
図４に示されるマッピング情報における上から１行目のデータは、フルレンジスピーカで位置SiL(10)に存在するスピーカ４１10に、オーディオアンプ２３1において出力される７．１チャンネルCh0乃至Ch6及びLFEそれぞれに対応するオーディオデータのうち、チャンネルCh0に対応するオーディオデータが割り当てられていることを示している。また、上から２行目のデータは、フルレンジスピーカで位置SiR(11)に存在するスピーカ４１11に、チャンネルCh1に対応するオーディオデータが割り当てられていることを示している。
【００８２】
さらに、マッピング情報における上から３行目のデータは、フルレンジスピーカで位置TpFL(12)に存在するスピーカ４１12に、チャンネルCh2に対応するオーディオデータが割り当てられていることを示している。また、上から４行目のデータは、フルレンジスピーカで位置TpFR(13)に存在するスピーカ４１13に、チャンネルCh3に対応するオーディオデータが割り当てられていることを示している。
【００８３】
さらに、マッピング情報における上から５行目のデータは、フルレンジスピーカで位置TpFC(14)に存在するスピーカ４１14に、チャンネルCh4に対応するオーディオデータが割り当てられていることを示している。また、上から６行目のデータは、フルレンジスピーカで位置TpC(15)に存在するスピーカ４１15に、チャンネルCh5に対応するオーディオデータが割り当てられていることを示している。
【００８４】
さらに、マッピング情報における上から７行目のデータは、フルレンジスピーカで位置TpBC(16)に存在するスピーカ４１16に、チャンネルCh6に対応するオーディオデータが割り当てられていることを示している。また、上から８行目のデータは、LFEスピーカで位置LFE2(17)に存在するスピーカ４１17に、チャンネルLFEに対応するオーディオデータが割り当てられていることを示している。
【００８５】
同様のマッピング情報が、AVアンプ２２からオーディオアンプ２３2に対しても送信される。
【００８６】
[AVアンプ２２の構成例]
図５は、AVアンプ２２の構成例を示している。
【００８７】
このAVアンプ２２は、操作部６１、制御部６２、記憶部６３、表示制御部６４、HDMI端子６５、デコード部６６、出力制御部６７、通信部６８、及びHDMI端子６９により構成される。
【００８８】
操作部６１は、例えば音量を設定するためのボタン等により構成されており、ユーザにより操作される。また、操作部６１は、ユーザ操作に応じた操作信号を制御部６２に供給する。
【００８９】
制御部６２は、例えば、操作部６１からの操作信号に応じて、対応する処理を行う。すなわち、例えば、制御部６２は、操作部６１からの操作信号に応じて、オーディオアンプ２３1やオーディオアンプ２３2を制御するためのコマンド等を生成し、通信部６８に供給する。
【００９０】
また、例えば、制御部６２は、通信部６８からのコマンド（オーディオアンプ２３1やオーディオアンプ２３2からのコマンド）、又はHDMI端子６５からのコマンド（テレビジョン受像機２１からのコマンド）に基づいて、対応する処理を行なう。
【００９１】
さらに、制御部６２は、表示制御部６４、デコード部６６、出力制御部６７、及び通信部６８等を制御する。具体的には、例えば、制御部６２は、表示制御部６４を制御して、表示制御部６４に、図３のスピーカ割当画面をテレビジョン受像機２１に表示させる。
【００９２】
記憶部６３は、例えばハードディスクやEEPROM（electrically erasable and programmable read only memory）等により構成されており、AVアンプ２２のEDIDや必要なデータを予め記憶（保持）している。
【００９３】
また、記憶部６３は、制御部６２により記憶を指示されたデータ等を記憶する。
【００９４】
表示制御部６４は、制御部６２の制御にしたがい、HDMI端子６５からHDMIケーブルのTMDSチャンネルライン経由でテレビジョン受像機２１に、例えば図３のスピーカ割当画面等を供給して表示させる。
【００９５】
HDMI端子６５は、テレビジョン受像機２１と接続されるHDMIケーブルを接続する接続端子である。HDMI端子６５は、表示制御部６４からのデータを、接続されているHDMIケーブルを介してテレビジョン受像機２１に供給する。
【００９６】
また、HDMI端子６５は、HDMIケーブルのARCライン経由で供給される、テレビジョン受像機２１からの符号化オーディオデータを、デコード部６６に供給する。
【００９７】
さらに、HDMI端子６５は、HDMIケーブルのCECライン経由で供給される、テレビジョン受像機２１からのコマンドを、制御部６２に供給する。
【００９８】
なお、テレビジョン受像機２１は、例えば、ユーザが、テレビジョン受像機２１のリモートコントローラを操作したことに対応して、リモートコントローラから送信されてくる操作信号に応じたコマンドを生成し、HDMIケーブルのCECライン経由で、HDMI端子６５に供給する。
【００９９】
デコード部６６は、HDMI端子６５から供給される符号化オーディオデータを、対応する復号方式で復号する。そして、デコード部６６は、その復号により得られる２２．２チャンネル（２４チャンネル）分のオーディオデータのうち、８．１チャンネル（９チャンネル）分のオーディオデータを出力制御部６７に供給する。
【０１００】
また、デコード部６６は、その復号により得られる２２．２チャンネル（２４チャンネル）分のオーディオデータのうち、残りの１４．１チャンネル（１５チャンネル）分のオーディオデータを通信部６８に供給する。
【０１０１】
出力制御部６７は、デコード部６６からの８．１チャンネル分のオーディオデータを、対応するスピーカ４１1乃至４１9それぞれに供給して、対応する音声を出力させる。
【０１０２】
通信部６８は、デコード部６６から供給される１４．１チャンネル分のオーディオデータのうち、７．１チャンネル（８チャンネル）分のオーディオデータを、HDMI端子６９に供給し、HDMI端子６９に接続されたHDMIケーブルのTMDSチャンネルライン経由でオーディオアンプ２３1に送信する。
【０１０３】
また、通信部６８は、デコード部６６から供給される１４．１チャンネル分のオーディオデータのうち、残りの７チャンネル分のオーディオデータを、HDMI端子６９に供給し、HDMI端子６９に接続されたHDMIケーブルのTMDSチャンネルライン経由でオーディオアンプ２３2に送信する。
【０１０４】
さらに、通信部６８は、制御部６２からのコマンドを、HDMI端子６９に接続されたHDMIケーブルのCECライン経由で、オーディオアンプ２３1やオーディオアンプ２３2に供給する。また、通信部６８は、オーディオアンプ２３1やオーディオアンプ２３2から、HDMI端子６９に接続されたHDMIケーブルのCECライン経由で供給されるコマンドを制御部６２に供給する。
【０１０５】
HDMI端子６９は、例えば、オーディオアンプ２３1に接続されたHDMIケーブルの一端を接続する接続端子、及びオーディオアンプ２３2に接続されたHDMIケーブルの一端を接続する接続端子により構成されている。
【０１０６】
HDMI端子６９は、通信部６８からのコマンド等を、HDMIケーブルを介してオーディオアンプ２３1やオーディオアンプ２３2に供給するとともに、オーディオアンプ２３1やオーディオアンプ２３2からHDMIケーブルを介して供給されてくるコマンド等を通信部６８に供給する。
【０１０７】
以下、オーディオアンプ２３1及びオーディオアンプ２３2を区別する必要がない場合、オーディオアンプ２３1及びオーディオアンプ２３2を、単に、オーディオアンプ２３という。
【０１０８】
[オーディオアンプ２３の構成例]
図６は、オーディオアンプ２３の構成例を示している。
【０１０９】
このオーディオアンプ２３は、HDMI端子８０、通信部８１、出力制御部８２、制御部８３、及び記憶部８４により構成される。
【０１１０】
HDMI端子８０は、AVアンプ２２に接続されているHDMIケーブルの一端を接続しており、HDMI端子８０には、AVアンプ２２からHDMIケーブルを介して、オーディオデータやコマンド等が供給される。
【０１１１】
HDMI端子８０は、AVアンプ２２からのコマンド等を通信部８１に供給する。また、HDMI端子８０は、通信部８１からのコマンド等を、HDMIケーブルを介してAVアンプ２２に供給する。
【０１１２】
通信部８１は、HDMI端子８０からのオーディオデータを、出力制御部８２に供給する。
【０１１３】
すなわち、例えば、図６のオーディオアンプ２３がオーディオアンプ２３1である場合、通信部８１は、HDMI端子８０から７．１チャンネル（８チャンネル）分のオーディオデータを受信し、出力制御部８２に供給する。
【０１１４】
また、例えば、図６のオーディオアンプ２３がオーディオアンプ２３2である場合、通信部８１は、HDMI端子８０から７チャンネル分のオーディオデータを受信し、出力制御部８２に供給する。
【０１１５】
さらに、通信部８１は、HDMI端子８０からのコマンド等を制御部８３に供給する。また、通信部８１は、制御部８３からのコマンド等をHDMI端子８０に供給する。
【０１１６】
出力制御部８２は、通信部８１からのオーディオデータを、スピーカに供給して、対応する音声を出力させる。
【０１１７】
制御部８３は、通信部８１、及び出力制御部８２を制御する。また、制御部８３は、通信部８１からのコマンドに基づいて、対応する処理を行なう。すなわち、例えば、制御部８３は、通信部８１からのコマンドに基づいて、AVアンプ２２に送信するためのコマンドを生成し、通信部８１に供給する。
【０１１８】
記憶部８４は、例えばハードディスクやEEPROM等により構成されており、オーディオアンプ２３のEDIDや必要なデータを予め記憶している。また、記憶部８４は、制御部８３から記憶を指示されたデータ等を記憶する。
【０１１９】
[AVアンプ２２が行うスピーカ指定処理の一例]
次に、図７のフローチャートを参照して、AVアンプ２２が、テレビジョン受像機２１からの符号化オーディオデータを復号して得られる２２．２チャンネル（２４チャンネル）分のオーディオデータ毎に、そのオーディオデータを出力するスピーカ４１1乃至４１24を指定するスピーカ指定処理について説明する。
【０１２０】
このスピーカ指定処理は、ユーザが、テレビジョン受像機２１のリモートコントローラ、又はAVアンプ２２の操作部６１を用いて、スピーカ割当画面を表示するための表示操作を行ったときに開始される。
【０１２１】
テレビジョン受像機２１のリモートコントローラを用いた表示操作が行われた場合、テレビジョン受像機２１は、リモートコントローラから送信されてくる、ユーザの表示操作に応じた操作信号に基づいた第１の操作コマンドを生成し、HDMIケーブルのCECライン経由で、HDMI端子６５に供給する。
【０１２２】
HDMI端子６５は、テレビジョン受像機２１からHDMIケーブルのCECライン経由で供給されてくる第１の操作コマンドを、制御部６２に供給する。
【０１２３】
また、操作部６１を用いた表示操作が行われた場合、操作部６１は、ユーザの表示操作に応じた操作信号を制御部６２に供給する。
【０１２４】
ステップＳ１において、制御部６２は、HDMI端子からの第１の操作コマンド、又は操作部６１からの操作信号に基づいて、オーディオアンプ２３がスピーカに出力可能なオーディオデータのチャンネル数や、オーディオデータのチャンネルとしてLFE用のチャンネルを有するか否か等を含むチャンネル情報を要求するチャンネル要求コマンドを生成し、通信部６８に供給する。
【０１２５】
通信部６８は、制御部６２からのチャンネル要求コマンドを、HDMI端子６９に接続されたHDMIケーブルのCECライン経由で、オーディオアンプ２３に供給する。
【０１２６】
この場合、オーディオアンプ２３は、通信部６８からのチャンネル要求コマンドに応じて、オーディオアンプ２３のチャンネル情報が付加された返信コマンドを生成し、HDMIケーブルのCECライン経由で、HDMI端子６９を介して通信部６８に供給する。
【０１２７】
ステップＳ２において、通信部６８は、オーディオアンプ２３からの返信コマンドを受信し、制御部６２に供給する。
【０１２８】
ステップＳ３において、制御部６２は、通信部６８からの返信コマンドに付加されているオーディオアンプ２３のチャンネル情報を抽出する。また、制御部６２は、記憶部６３に記憶されているAVアンプ２２のチャンネル情報を、記憶部６３から読み出す。そして、制御部６２は、抽出したオーディオアンプ２３のチャンネル情報、及び読み出したAVアンプ２２のチャンネル情報に基づいて、スピーカ割当画面を生成し、表示制御部６４に供給する。
【０１２９】
表示制御部６４は、制御部６２からのスピーカ割当画面を、HDMI端子６５に接続されたHDMIケーブルのTMDSチャンネルライン経由でテレビジョン受像機２１に供給して表示させる。
【０１３０】
そして、ユーザは、テレビジョン受像機２１に表示されたスピーカ割当画面を参照しながら、テレビジョン受像機２１のリモートコントローラ、又は操作部６１を用いて、スピーカ４１1乃至４１25のうち、２２．２チャンネルそれぞれに対応するオーディオデータを出力する各スピーカ４１1乃至４１24を指定する指定操作を行う。
【０１３１】
テレビジョン受像機２１のリモートコントローラを用いた指定操作が行われた場合、テレビジョン受像機２１は、リモートコントローラから送信されてくる、ユーザの指定操作に応じた操作信号に基づいた第２の操作コマンドを生成し、HDMIケーブルのCECライン経由で、HDMI端子６５に供給する。
【０１３２】
HDMI端子６５は、テレビジョン受像機２１からHDMIケーブルのCECライン経由で供給されてくる第２の操作コマンドを、制御部６２に供給する。
【０１３３】
また、操作部６１を用いた指定操作が行われた場合、操作部６１は、ユーザの指定操作に対応する操作信号を制御部６２に供給する。
【０１３４】
ステップＳ４において、制御部６２は、HDMI端子６５からの第２の操作コマンド、又は操作部６１からの操作信号に基づいて、スピーカ４１1乃至４１9のマッピング情報を生成し、記憶部６３に供給して記憶させる。
【０１３５】
また、制御部６２は、HDMI端子６５からの第２の操作コマンド、又は操作部６１からの操作信号に基づいて、図４に示されたような、オーディオアンプ２３に付属するスピーカ４１10乃至４１25へのオーディオデータの割当を表すマッピング情報が付加された割当コマンドを生成し、通信部６８に供給する。すなわち、制御部６２は、オーディオアンプ２３1用の割当コマンドとして、スピーカ４１10乃至４１17へのオーディオデータの割当を表すマッピング情報が付加された割当コマンドを生成し、通信部６８に供給する。また、制御部６２は、オーディオアンプ２３2用の割当コマンドとして、スピーカ４１18乃至４１25へのオーディオデータの割当を表すマッピング情報が付加された割当コマンドを生成し、通信部６８に供給する。
【０１３６】
そして、ステップＳ５において、通信部６８は、制御部６２からの割当コマンドを、HDMI端子６９に接続されたHDMIケーブルのCECライン経由でオーディオアンプ２３に供給する。すなわち、通信部６８は、制御部６２から供給されるオーディオアンプ２３1用の割当コマンドを、オーディオアンプ２３1に、制御部６２から供給されるオーディオアンプ２３2用の割当コマンドを、オーディオアンプ２３2に供給する。
【０１３７】
[オーディオアンプ２３が行うスピーカ設定処理の一例]
次に、図８のフローチャートを参照して、オーディオアンプ２３が、ユーザの指定操作により指定されたスピーカから、対応するオーディオデータが出力されるように設定するスピーカ設定処理について説明する。
【０１３８】
ステップＳ２１において、通信部８１は、AVアンプ２２から、HDMI端子８０に接続されたHDMIケーブルのCECライン経由でHDMI端子８０を介して送信されてくるチャンネル要求コマンドを、制御部８３に供給する。
【０１３９】
制御部８３は、通信部８１からのチャンネル要求コマンドに応じて、記憶部８４に記憶されているオーディオアンプ２３のチャンネル情報を、記憶部８４から読み出す。そして、制御部８３は、読み出したチャンネル情報が付加された返信コマンドを生成し、通信部８１に供給する。
【０１４０】
通信部８１は、制御部８３からの返信コマンドを、HDMI端子８０に供給して、HDMI端子８０に接続されたHDMIケーブルのCECライン経由でAVアンプ２２に供給する。
【０１４１】
これに対応して、AVアンプ２２は、通信部８１からの返信コマンドに付加されているチャンネル情報等に基づいて、図３に示されるようなスピーカ割当画面を、テレビジョン受像機２１に表示させる。そして、AVアンプ２２は、ユーザの指定操作に応じて、スピーカの割当を行い、その結果得られる割当コマンドを、CECライン経由で通信部８１に供給する。
【０１４２】
ステップＳ２２において、通信部８１は、AVアンプ２２から、HDMI端子８０に接続されたHDMIケーブルのCECライン経由でHDMI端子８０を介して供給される割当コマンドを受信し、制御部８３に供給する。
【０１４３】
ステップＳ２３において、制御部８３は、通信部８１からの割当コマンドに基づいて、その割当コマンドに付加されているマッピング情報を、記憶部８４に供給して、オーディオアンプ２３のマッピング情報として上書きにより記憶させる。
【０１４４】
以上説明したように、スピーカ指定処理及びスピーカ設定処理では、スピーカの割当を、HDMIケーブルのCECライン経由で行なうようにしたので、AVアンプ２２、オーディオアンプ２３1及び２３2それぞれを個別に操作して、スピーカの割当を行う等の労力を、ユーザに強いる必要がない。
【０１４５】
また、スピーカの割当を、HDMIケーブルのCECライン経由で行なうようにしたので、例えば、従来の音声出力システムのように、制御信号（コマンド）の通信に用いる特別な制御用ケーブル（インタフェース）を必要としない。
【０１４６】
本実施の形態では、９チャンネル分のオーディオデータを出力させるAVアンプ２２、並びに８チャンネル分のオーディオデータを出力させるオーディオアンプ２３1及び２３2を接続して、２２．２チャンネル分のオーディオデータを出力させるようにした。
【０１４７】
したがって、２２．２チャンネル（２４チャンネル）分のオーディオデータを出力させる１台のオーディオアンプやAVアンプを新たに製造する必要がなく、例えば、現存する複数台のオーディオアンプやAVアンプを接続して、２２．２チャンネル分のオーディオデータを出力させることが可能となる。
【０１４８】
[AVアンプ２２が行うEDID生成処理の一例]
次に、図９のフローチャートを参照して、AVアンプ２２が行う、出力制御システム１のEDIDを生成するEDID生成処理について説明する。
【０１４９】
このEDID生成処理は、例えば、新たにオーディオアンプ２３が接続されたときや、AVアンプ２２が再起動されて、接続されているオーディオアンプ２３iとの接続がリセット（遮断）されたとき等に開始される。
【０１５０】
通信部６８は、HDMI端子６９を介して接続されているオーディオアンプ２３iの台数（個数）を検出し、制御部６２に供給する。
【０１５１】
ステップＳ４１において、制御部６２は、変数iに値１を代入する。また、制御部６２は、通信部６８から供給される、オーディオアンプ２３iの台数を、imaxに代入する。
【０１５２】
ステップＳ４２において、制御部６２は、通信部６８に対して、オーディオアンプ２３iのEDIDの読み出しを指示する。通信部６８は、制御部６２からのEDIDの読み出し指示に従い、HDMI端子６９に接続されたHDMIケーブルのDDCライン経由で、オーディオアンプ２３iのEDIDを読み出し、制御部６２に供給する。
【０１５３】
ステップＳ４３において、制御部６２は、変数iがimaxよりも小さいか否かを判定する。そして、制御部６２は、変数iがimaxよりも小さいと判定した場合、すなわち、まだオーディオアンプ２３iのEDIDをすべて取得していないと判定した場合、処理をステップＳ４４に進める。
【０１５４】
ステップＳ４４において、制御部６２は、変数iに値１を加算し、処理をステップＳ４２に戻して、それ以降同様の処理が行なわれる。
【０１５５】
また、ステップＳ４３において、制御部６２は、変数iがimaxよりも小さくないと判定した場合、すなわち、すべてのオーディオアンプ２３iのEDIDを取得したと判定した場合、処理をステップＳ４５に進める。
【０１５６】
ステップＳ４５乃至ステップＳ４８において、制御部６２は、取得したオーディオアンプ２３iのEDID、及び記憶部６３に記憶されているAVアンプ２２のEDIDに基づいて、出力制御システム１のEDIDを生成する。
【０１５７】
すなわち、例えば、ステップＳ４５において、制御部６２は、ステップＳ４２の処理において通信部６８から供給されたオーディオアンプ２３iのEDIDに基づいて、オーディオアンプ２３iのチャンネル数を取得する。
【０１５８】
いまの場合、AVアンプ２２には、オーディオアンプ２３1及びオーディオアンプ２３2が接続されており、オーディオアンプ２３1及びオーディオアンプ２３2は、いずれも８個のチャンネル数を有しているため、制御部６２は、オーディオアンプ２３1及びオーディオアンプ２３2のチャンネル数として、それぞれ、８個のチャンネル数を取得する。
【０１５９】
ステップＳ４６において、制御部６２は、記憶部６３から、AVアンプ２２のEDIDを読み出し、読み出したAVアンプ２２のEDIDに基づいて、AVアンプ２２のチャンネル数を取得する。いまの場合、AVアンプ２２は、９個のチャンネル数を有しているため、制御部６２が、AVアンプ２２のチャンネル数として、９個のチャンネル数を取得する。
【０１６０】
そして、制御部６２は、取得したオーディオアンプ２３1の８個のチャンネル数、オーディオアンプ２３2の８個のチャンネル数、及びAVアンプ２２の９個のチャンネル数を加算し、その結果得られる２５個のチャンネル数を、出力制御システム１のチャンネル数に設定する。
【０１６１】
ステップＳ４７において、制御部６２は、記憶部６３から読み出したAVアンプ２２のEDIDに基づいて、AVアンプ２２のデコード部６６が行う復号方式(復号可能な符号化方法)を検出し、検出した復号方式を、出力制御システム１の復号方式に設定する。
【０１６２】
ステップＳ４８において、制御部６２は、オーディオアンプ２３iのEDIDに基づいて、オーディオアンプ２３iのレイテンシを検出する。また、制御部６２は、AVアンプ２２のEDIDに基づいて、AVアンプ２２のレイテンシを検出する。
【０１６３】
そして、制御部６２は、検出した、オーディオアンプ２３iのレイテンシ、及びAVアンプ２２のレイテンシのうち、最も大きいレイテンシを、出力制御システム１のレイテンシに設定する。
【０１６４】
制御部６２は、設定した出力制御システム１のチャンネル数、復号方式、及びレイテンシを含むEDIDを、出力制御システム１のEDIDとして生成し、記憶部６３に供給して記憶させる。以上で、EDID生成処理は終了される。
【０１６５】
なお、出力制御システム１では、オーディオアンプ２３iのレイテンシ、及びAVアンプ２２のレイテンシのうち、最も大きいレイテンシが、出力制御システム１のレイテンシとして設定される。
【０１６６】
そして、出力制御システム１では、出力システム１のレイテンシとして設定された最も大きいレイテンシが、AVアンプ２２、オーディオアンプ２３1、及びオーディオアンプ２３2で共有され、AVアンプ２２、オーディオアンプ２３1、及びオーディオアンプ２３2はそれぞれ、共有している出力制御システム１のレイテンシで音声を出力させる。
【０１６７】
具体的には、例えば、AVアンプ２２は、出力制御システム１のレイテンシ（出力制御システム１のEDIDに含まれる）に基づいて、AVアンプ２２のレイテンシ（AVアンプ２２のEDIDに含まれる）を、出力制御システム１のレイテンシに変更するために加算すべき遅延時間を算出する。そして、AVアンプ２２は、算出した遅延時間を、AVアンプ２２のレイテンシに加算し、その加算により得られる出力制御システム１のレイテンシを、AVアンプ２２のレイテンシとして、スピーカ４１1乃至４１9から音声を出力させる。
【０１６８】
また、AVアンプ２２は、出力制御システム１のレイテンシを、CECライン経由で、オーディオアンプ２３1及び２３2に通知（報知）する。
【０１６９】
オーディオアンプ２３1は、AVアンプ２２から通知された出力制御システム１のレイテンシに基づいて、オーディオアンプ２３1のレイテンシ（オーディオアンプ２３1のEDIDに含まれる）を、出力制御システム１のレイテンシに変更するために加算すべき遅延時間を算出する。そして、オーディオアンプ２３1は、算出した遅延時間を、オーディオアンプ２３1のレイテンシに加算し、その加算により得られる出力制御システム１のレイテンシを、オーディオアンプ２３1のレイテンシとして、スピーカ４１10乃至４１17から音声を出力させる。
【０１７０】
また、オーディオアンプ２３2は、AVアンプ２２から通知された出力制御システム１のレイテンシに基づいて、オーディオアンプ２３2のレイテンシ（オーディオアンプ２３2のEDIDに含まれる）を、出力制御システム１のレイテンシに変更するために加算すべき遅延時間を算出する。そして、オーディオアンプ２３2は、算出した遅延時間を、オーディオアンプ２３2のレイテンシに加算し、その加算により得られる出力制御システム１のレイテンシを、オーディオアンプ２３2のレイテンシとして、スピーカ４１18乃至４１24から音声を出力させる。
【０１７１】
これにより、出力制御システム１では、スピーカ４１1乃至４１24から同一のタイミング（レイテンシ）で音声が出力される。
【０１７２】
[オーディオアンプ２３が行うEDID供給処理の一例]
次に、図１０のフローチャートを参照して、オーディオアンプ２３iが、AVアンプ２２に、オーディオアンプ２３iのEDIDを供給するEDID供給処理について説明する。
【０１７３】
ステップＳ６１において、通信部８１は、記憶部８４に予め保持されているオーディオアンプ２３iのEDIDを、記憶部８４から読み出し、AVアンプ２２に対して、読み出し準備が完了したことを、HDMI端子８０を介して通知する。
【０１７４】
ステップＳ６２において、制御部８３は、読み出したオーディオアンプ２３iのEDIDを、通信部８１に供給する。通信部８１は、制御部８３からのオーディオアンプ２３iのEDIDを、AVアンプ２２の要求にしたがって、DDCライン経由でAVアンプ２２に供給する。
【０１７５】
以上説明したように、EDID生成処理では、EDID供給処理において送信されてくるオーディオアンプ２３1及び２３2のEDID、並びにAVアンプ２２のEDIDに基づいて、出力制御システム１のEDIDを生成するようにした。
【０１７６】
したがって、例えば、AVアンプ２２にHDMIケーブルを介して接続される他の装置は、AVアンプ２２からDDCライン経由で供給される出力制御システム１のEDIDを受信することにより、AVアンプ２２、オーディオアンプ２３1及び２３2を、１台の出力制御システム１として取り扱うことが可能となる。
【０１７７】
また、AVアンプ２２は、オーディオアンプ２３1及び２３2のEDIDの読み出しを、HDMIケーブルのDDCライン経由で行なうようにしたので、従来の音声出力システムのように、制御に用いる特別な制御用ケーブルを必要としない。
【０１７８】
ところで、AVアンプ２２は、スピーカ４１1乃至４１9から出力される音声の音量を調整したり、音量を０にする（消音する）ミュート等を行う他、オーディオアンプ２３1及び２３2をCECライン経由で制御して、スピーカ４１10乃至４１24から出力される音声の音量等を調整することができる。
【０１７９】
しかしながら、例えば、AVアンプ２２が、スピーカ４１1乃至４１9の音量を、所定の音の大きさ（デシベル値）とし、所定の音の大きさを、オーディオアンプ２３1やオーディオアンプ２３2にCECライン経由で通知して、スピーカ４１1乃至４１25の音量を調整する場合、スピーカ４１1乃至４１25の音声を出力する効率等に起因して、スピーカ４１1乃至４１9と、スピーカ４１10乃至４１24との間で出力される音声の音量には、かなりの差異が生じ得る。
【０１８０】
すなわち、例えば、AVアンプ２２では、所定の音の大きさで、スピーカ４１1乃至４１9から音声を出力しているが、オーディオアンプ２３1やオーディオアンプ２３2において、所定の音の大きさとは異なる大きさで、スピーカ４１10乃至４１17やスピーカ４１18乃至４１24から音声を出力することが生じ得る。
【０１８１】
この場合、２２．２チャンネルそれぞれに対応するオーディオデータの出力レベルが異なり、ユーザに不快な思いをさせてしまうので、これを調整する必要がある。
【０１８２】
この調整方法について、図１１乃至図１３を参照して説明する。
【０１８３】
図１１は、音量の調整を行なう場合に形成される出力制御システム１を示している。
【０１８４】
なお、この出力制御システム１は、音量の調整を行なう場合に、マイクロホン１０１がAVアンプ２２に接続されることにより形成される。
【０１８５】
すなわち、この出力制御システム１は、AVアンプ２２に、マイクロホン１０１が接続されている他は、図１の出力制御システム１と同様に構成される。
【０１８６】
AVアンプ２２は、測定用に出力する音声であるテストトーンの出力を指示する指示コマンドとして、テストトーンの音の大きさ（デシベル値）を表すテスト音量情報が付加された指示コマンドを、HDMIケーブルのCECライン経由で、例えばオーディオアンプ２３2に通知する。
【０１８７】
これにより、オーディオアンプ２３2は、AVアンプ２２からの指示コマンドに応じて、スピーカ４１18乃至４１25のうち、例えばスピーカ４１18からテストトーンを出力させる。
【０１８８】
AVアンプ２２に接続されたマイクロホン１０１は、スピーカ４１18から出力されるテストトーンを集音し、その結果得られる音声信号をAVアンプ２２に供給する。
【０１８９】
AVアンプ２２は、マイクロホン１０１からの音声信号に基づいて、オーディオアンプ２３2に接続されているスピーカ４１18からのテストトーンの音量としてのデシベル値を検出する。
【０１９０】
そして、AVアンプ２２は、指示コマンドに付加したテスト音量情報が表すデシベル値から、検出したテストトーンのデシベル値を差し引いて得られるオフセット値を算出し、算出したオフセット値が付加されたオフセットコマンドを、CECライン経由でオーディオアンプ２３2に通知する。
【０１９１】
これにより、例えば、オーディオアンプ２３2は、AVアンプ２２から、所定のデシベル値（例えば、３０デシベル）の音量で音声を出力することが指示された場合、指示された３０デシベルに、AVアンプ２２からのオフセットコマンドに付加されたオフセット値を加算して得られるデシベル値で、スピーカ４１18乃至４１25から音声を出力（本実施の形態ではスピーカ４１18乃至４１24から出力）するようにして、スピーカ４１1乃至４１9と、スピーカ４１18乃至４１25との間で出力される音声の音量の差異を低減することとなる。
【０１９２】
なお、AVアンプ２２は、オーディオアンプ２３1に対しても同様に、オーディオアンプ２３2に対して行う処理と同様の処理を行い、その結果得られるオフセット値が付加されたオフセットコマンドを、CECライン経由でオーディオアンプ２３1に通知する。
【０１９３】
以下、図１２及び図１３を参照して、AVアンプ２２とオーディオアンプ２３2との間で、出力される音量の差異を調整するために行なわれる処理について説明する。なお、AVアンプ２２とオーディオアンプ２３1との間で行なわれる処理はAVアンプ２２とオーディオアンプ２３2との間で行なわれる処理と同様であるため、その説明は省略する。
【０１９４】
[AVアンプ２２が行うオフセット算出処理の一例]
次に、図１２のフローチャートを参照して、AVアンプ２２が、オーディオアンプ２３2に対して行うオフセット算出処理について説明する。
【０１９５】
ステップＳ８１において、制御部６２は、測定用のテストトーンの出力を指示する指示コマンドとして、テストトーンの音量を表すテスト音量情報が付加された指示コマンドを生成し、通信部６８に供給する。
【０１９６】
通信部６８は、制御部６２からの指示コマンドをHDMI端子６９に供給し、HDMI端子６９に接続されたHDMIケーブルのCECライン経由でオーディオアンプ２３2に送信する。
【０１９７】
この場合、オーディオアンプ２３2は、通信部６８からの指示コマンドに基づいて、その指示コマンドに付加されているテスト音量情報の音量で、例えばスピーカ４１18からテストトーンを出力させる。
【０１９８】
ステップＳ８２において、AVアンプ２２に接続されたマイクロホン１０１は、スピーカ４１18から出力されるテストトーンを集音し、その結果得られる音声信号を、接続されている制御部６２に供給する。
【０１９９】
制御部６２は、AVアンプ２２に接続されたマイクロホン１０１から供給される音声信号に基づいて、オーディオアンプ２３2に接続されたスピーカ４１18から出力されたテストトーンの音の大きさ（デシベル値）を測定する。
【０２００】
ステップＳ８３において、制御部６２は、指示コマンドを用いて指示したテストトーンの音量に対応するデシベル値から、測定により得られたデシベル値を差し引いて得られるオフセット値を算出する。
【０２０１】
ステップＳ８４において、制御部６２は、算出したオフセット値を付加したオフセットコマンドを生成し、通信部６８に供給する。通信部６８は、制御部６２からのオフセットコマンドをHDMI端子６９に供給し、HDMI端子６９に接続されたHDMIケーブルのCECライン経由でオーディオアンプ２３2に通知する。
【０２０２】
[オーディオアンプ２３2が行うオフセット取得処理について]
次に、図１３のフローチャートを参照して、オーディオアンプ２３2が行うオフセット取得処理について説明する。
【０２０３】
ステップＳ１０１において、通信部８１は、AVアンプ２２から、HDMI端子８０に接続されたHDMIケーブルのCECライン経由で、HDMI端子８０を介して供給された、テストトーンの音量を表すテスト音量情報が付加された指示コマンドを受信し、制御部８３に供給する。
【０２０４】
ステップＳ１０２において、制御部８３は、通信部８１からの指示コマンドに基づいて、出力制御部８２を制御し、指示コマンドに付加されたテスト音量情報が表す音量でテストトーンを、例えばスピーカ４１18から出力させる。
【０２０５】
これにより、AVアンプ２２に接続されたマイクロホン１０１は、スピーカ４１18から出力されたテストトーンを集音し、その結果得られる音声信号を、AVアンプ２２に供給する。AVアンプ２２は、接続されたマイクロホン１０１からの音声信号に基づいて算出したオフセット値が付加されたオフセットコマンドを、HDMI端子８０を介してオーディオアンプ２３2の通信部８１に通知する。
【０２０６】
ステップＳ１０３において、通信部８１は、AVアンプ２２から、HDMI端子８０に接続されたHDMIケーブルのCECライン経由で、HDMI端子８０を介して供給された、オフセット値が付加されたオフセットコマンドを受信し、制御部８３に供給する。制御部８３は、通信部８１からのオフセットコマンドに基づいて、そのオフセットコマンドに付加されているオフセット値を、記憶部８４に供給して記憶させる。
【０２０７】
以上説明したように、オフセット算出処理において、AVアンプ２２が、AVアンプ２２において出力される音量と、オーディオアンプ２３2から出力される音量の差異を、オフセット値として算出し、オフセット取得処理において、オーディオアンプ２３2が、AVアンプ２２が算出したオフセット値を取得するようにした。
【０２０８】
よって、例えば、AVアンプ２２が、所定のデシベル値でスピーカ４１18乃至４１25から音声を出力させるためのコマンドを、オーディオアンプ２３2に通知した場合、オーディオアンプ２３2において、取得したオフセット値と、AVアンプ２２により指示された所定のデシベル値を加算して得られる新たなデシベル値で、スピーカ４１18乃至４１25から音声を出力するように制御される。
【０２０９】
この場合、オーディオアンプ２３2において、スピーカ４１18乃至４１25の音声を出力する効率等に起因して、オフセット値の分だけ音量が小さくなり、AVアンプ２２により指示された所定のデシベル値で、音声が出力されることとなる。
【０２１０】
したがって、オーディオアンプ２３2では、AVアンプ２２により指示されたデシベル値で音声を出力させることが可能となる。このことは、オーディオアンプ２３1においても同様のことがいえる。
【０２１１】
これにより、AVアンプ２２、オーディオアンプ２３1、及びオーディオアンプ２３2において、同一のデシベル値で音声を出力させることが可能となる。
【０２１２】
なお、AVアンプ２２は、リモートコントローラの音量調整ボタンのように音量を１だけ(一定のデシベル値だけ)上げたり下げたりする再生音量アップダウン機能を有している。
【０２１３】
したがって、AVアンプ２２は、再生音量アップダウン機能を用いて、スピーカ４１1乃至４１25の音量を１だけ（一定のデシベル値だけ）上げるように、オーディオアンプ２３1やオーディオアンプ２３2を指示することが可能である。
【０２１４】
しかしながら、音量を１だけ上げる場合に変化するデシベル値は、一般的に、AVアンプ２２、オーディオアンプ２３1、及びオーディオアンプ２３2の装置毎に異なるため、AVアンプ２２は、スピーカ４１1乃至４１9の音量を１だけ上げるとともに、音量を１だけ上げるように、オーディオアンプ２３1及び２３2を制御すると、スピーカ４１1乃至４１25から出力される音量にばらつきが生じてしまう。
【０２１５】
このため、例えば、AVアンプ２２は、ユーザにより、一定のデシベル値だけ、音量を上げる操作が行われた場合、スピーカ４１1乃至４１9の音量を表すデシベル値に、AVアンプ２２固有の音量を１だけ上げる場合に変化する一定のデシベル値を加算して得られるデシベル値で、スピーカ４１18乃至４１25から音声を出力するように、オーディオアンプ２３1及び２３2を制御することとなる。
【０２１６】
なお、オーディオアンプ２３2において、AVアンプ２２により指示された所定のデシベル値に、AVアンプ２２により算出されたオーディオアンプ２３2用のオフセット値を加算することにより、スピーカ４１18乃至４１25の音声を出力する効率等に起因する差異を調整するようにしたが、これに限定されない。
【０２１７】
すなわち、例えば、AVアンプ２２において、オーディオアンプ２３2用に算出したオフセット値を、所定のデシベル値に加算して得られる新たなデシベル値を計算し、計算した新たなデシベル値で音声を出力するように、オーディオアンプ２３2を制御するようにしても、オーディオアンプ２３2において、所定のデシベル値で音声が出力されることとなる。このことは、オーディオアンプ２３1についても同様のことがいえる。
【０２１８】
＜２．変形例＞
本実施の形態では、出力制御システム１において、AVアンプ２２は、テレビジョン受像機２１からの符号化オーディオデータを復号して得られる２２．２チャンネル分のオーディオデータのうち、７．１チャンネル分のオーディオデータを、TMDSチャンネルライン経由で、オーディオアンプ２３1に供給するとともに、７チャンネル分のオーディオデータを、TMDSチャンネルライン経由で、オーディオアンプ２３2に供給するようにしたが、これに限定されない。
【０２１９】
すなわち、例えば、出力制御システム１では、AVアンプ２２は、テレビジョン受像機２１からの符号化オーディオデータを復号せずに、そのまま、TMDSチャンネルライン経由で、オーディオアンプ２３1及び２３2に供給するようにしてもよい。
【０２２０】
この場合、オーディオアンプ２３1及び２３2には、符号化オーディオデータを復号するデコード部が設けられているものとし、オーディオアンプ２３1及び２３2は、それぞれ、AVアンプ２２からの符号化オーディオデータを復号し、その結果得られる２２．２チャンネル分のオーディオデータから、出力すべきオーディオデータを出力するものとなる。
【０２２１】
さらに、例えば、出力制御システム１では、図１４に示されるように、AVアンプ２２は、オーディオアンプ２３1及び２３2と接続されたHDMIケーブルの接続の入出力を逆にして、テレビジョン受像機２１からの符号化オーディオデータを復号せずに、そのまま、ARCライン経由で、オーディオアンプ２３1及び２３2に供給するようにしてもよい。なお、図１４において、AVアンプ２２、オーディオアンプ２３1、及びオーディオアンプ２３2は、HDMIケーブルの接続の入出力を逆にして接続可能なHDMI端子を有しているものとする。
【０２２２】
この場合も同様に、オーディオアンプ２３1及び２３2には、符号化オーディオデータを復号するデコード部が設けられているものとし、オーディオアンプ２３1及び２３2は、それぞれ、AVアンプ２２からARCライン経由で供給される符号化オーディオデータを復号し、その結果得られる２２．２チャンネル分のオーディオデータから、出力すべきオーディオデータを出力するものとなる。
【０２２３】
本実施の形態では、AVアンプ２２が、テレビジョン受像機２１からARCライン経由で供給される符号化オーディオデータを対象として、復号等の処理を行なうようにしたが、これに限定されない。
【０２２４】
すなわち、例えば、図１５に示されるように、AVアンプ２２に、BDプレーヤ１２１がHDMIケーブルを介して接続されている場合には、AVアンプ２２は、BDプレーヤ１２１からTMDSチャンネルライン経由で供給される符号化オーディオデータを対象として、復号等の処理を行なうようにすることができる。
【０２２５】
また、例えば、出力制御システム１では、図１４の構成で、図１６に示されるように、AVアンプ２２に、BDプレーヤ１２１がHDMIケーブルを介して接続されている場合には、AVアンプ２２は、BDプレーヤ１２１からの符号化オーディオデータをARCライン経由で、オーディオアンプ２３1及び２３2に供給するようにしてもよい。
【０２２６】
さらに、図１６において、出力制御システム１では、AVアンプ２２に、BDプレーヤ１２１を接続するのではなく、オーディオアンプ２３1及びオーディオアンプ２３2のうち、例えばオーディオアンプ２３1に、BDプレーヤ１２１を接続するようにしてもよい。
【０２２７】
この場合、オーディオアンプ２３1は、AVアンプ２２とHDMIケーブルを介して接続されるHDMI端子８０の他、BDプレーヤ１２１を接続するために、例えばAVアンプ２２のHDMI端子６９と同様のHDMI端子（BDプレーヤ１２１からTMDSチャンネルライン経由で符号化オーディオデータが供給されるHDMI端子）を有している必要がある。
【０２２８】
オーディオアンプ２３1にBDプレーヤ１２１を接続している場合には、BDプレーヤ１２１は、符号化オーディオデータを、オーディオアンプ２３1を介して、AVアンプ２２に供給することとなり、AVアンプ２２に直接、BDプレーヤ１２１が接続されている場合と同様の処理を行なうことができる。
【０２２９】
すなわち、例えば、図１６における出力制御システム１において、BDプレーヤ１２１には、AVアンプ２２に代えて、オーディオアンプ２３1が接続されている場合、オーディオアンプ２３1は、BDプレーヤ１２１からTMDSチャンネルライン経由で符号化オーディオデータを取得し、取得した符号化オーディオデータを、TMDSチャンネルライン経由でAVアンプ２２に供給することとなる。
【０２３０】
本実施の形態では、AVアンプ２２に、２台のオーディオアンプ２３を接続するようにしたが、これに限定されない。
【０２３１】
すなわち、例えば、オーディオアンプ２３が、それぞれ、３チャンネル分のオーディオデータのみを出力させるものである場合、AVアンプ２２に、５台のオーディオアンプ２３を接続するようにし、AVアンプ２２が９チャンネル（８．１チャンネル）に対応するオーディオデータを出力させ、５台のオーディオアンプ２３が、それぞれ、３チャンネル分のオーディオデータを出力させるようにしてもよい。
【０２３２】
また、本実施の形態では、AVアンプ２２に、直接、２台のオーディオアンプ２３を接続する２層構造としたが、例えば、AVアンプ２２に、オーディオアンプ２３1を接続し、オーディオアンプ２３1を介してオーディオアンプ２３2を接続する３層構造とするようにしてもよい。
【０２３３】
さらに、AVアンプ２２は、２２．２チャンネル分のオーディオデータのうち、８．１チャンネル分のオーディオデータを出力させるようにしたが、例えば、オーディオデータの出力を行なわず、２２．２チャンネル分のオーディオデータを分割して、接続されているオーディオアンプ２３に供給する処理のみを行なうようにしてもよい。
【０２３４】
この場合、例えば、AVアンプ２２には、オーディオアンプ２３1及び２３2の他、８．１チャンネル分のオーディオデータを出力させる他のオーディオアンプ２３3が接続されることとなる。
【０２３５】
本実施の形態では、例えば、図１において、AVアンプ２２は、HDMIケーブルを介して、符号化オーディオデータを供給するテレビジョン受像機２１と接続されるようにしたが、これに限定されない。
【０２３６】
すなわち、例えば、AVアンプ２２は、テレビジョン受像機２１から符号化オーディオデータを受信することが可能であれば、HDMIケーブルの他、例えば大容量のデータを通信可能な光ケーブル等を介して、テレビジョン受像機２１と接続されるようにしてもよいし、無線により接続されているようにしてもよい。
【０２３７】
また、本実施の形態では、テレビジョン受像機２１とAVアンプ２２とを別々に構成するようにしたが、例えば、テレビジョン受像機２１とAVアンプ２２とを一体的に構成するようにしてもよい。
【０２３８】
この場合、AVアンプ２２は、テレビジョン受像機２１を介して、間接的に符号化オーディオデータを受信するのではなく、放送されてくるデジタル放送信号に含まれる符号化オーディオデータを、直接に、受信することとなる。
【０２３９】
また、本実施の形態では、出力制御システム１において、２２．２チャンネル分のオーディオデータを出力させる複数の出力制御装置として、AVアンプ２２、オーディオアンプ２３1、及びオーディオアンプ２３2を採用することとしたが、例えば、複数の出力制御装置として、オーディオアンプのみを採用するようにしてもよい。
【０２４０】
すなわち、複数の出力制御装置としては、オーディオデータの出力を制御するものであれば、どのような装置であってもよい。
【０２４１】
さらに、ここまでオーディオデータのチャンネル数を２２．２チャンネル（２４チャンネル）としたが、オーディオデータのチャンネル数は複数であればよく、２２．２チャンネルに限定されない。
【０２４２】
ところで、上述した一連の処理は、専用のハードウエアにより実行させることもできるし、ソフトウエアにより実行させることもできる。一連の処理をソフトウエアにより実行させる場合には、そのソフトウエアを構成するプログラムが、いわゆる組み込み型のコンピュータ、又は、各種のプログラムをインストールすることで、各種の機能を実行することが可能な、例えば汎用のパーソナルコンピュータ等に、記録媒体からインストールされる。
【０２４３】
[コンピュータの構成例]
次に、図１７は、上述した一連の処理をプログラムにより実行するコンピュータの構成例を示している。
【０２４４】
CPU（Central Processing Unit）２０１は、ROM（Read Only Memory）２０２、又は記憶部２０８に記憶されているプログラムに従って各種の処理を実行する。RAM（Random Access Memory）２０３には、CPU２０１が実行するプログラムやデータ等が適宜記憶される。これらのCPU２０１、ROM２０２、及びRAM２０３は、バス２０４により相互に接続されている。
【０２４５】
CPU２０１にはまた、バス２０４を介して入出力インタフェース２０５が接続されている。入出力インタフェース２０５には、キーボード、マウス、マイクロホン等よりなる入力部２０６、ディスプレイ、スピーカ等よりなる出力部２０７が接続されている。CPU２０１は、入力部２０６から入力される指令に対応して各種の処理を実行する。そして、CPU２０１は、処理の結果を出力部２０７に出力する。
【０２４６】
入出力インタフェース２０５に接続されている記憶部２０８は、例えばハードディスクからなり、CPU２０１が実行するプログラムや各種のデータを記憶する。通信部２０９は、インターネットやローカルエリアネットワーク等のネットワークを介して外部の装置と通信する。
【０２４７】
また、通信部２０９を介してプログラムを取得し、記憶部２０８に記憶してもよい。
【０２４８】
入出力インタフェース２０５に接続されているドライブ２１０は、磁気ディスク、光ディスク、光磁気ディスク、或いは半導体メモリ等のリムーバブルメディア２１１が装着されたとき、それらを駆動し、そこに記録されているプログラムやデータ等を取得する。取得されたプログラムやデータは、必要に応じて記憶部２０８に転送され、記憶される。
【０２４９】
コンピュータにインストールされ、コンピュータによって実行可能な状態とされるプログラムを記録（記憶）する記録媒体は、図１７に示すように、磁気ディスク（フレキシブルディスクを含む）、光ディスク（CD-ROM(Compact Disc-Read Only Memory),DVD(Digital Versatile Disc)を含む）、光磁気ディスク（ＭＤ（Mini-Disc）を含む）、もしくは半導体メモリ等よりなるパッケージメディアであるリムーバブルメディア２１１、又は、プログラムが一時的もしくは永続的に格納されるROM２０２や、記憶部２０８を構成するハードディスク等により構成される。記録媒体へのプログラムの記録は、必要に応じてルータ、モデム等のインタフェースである通信部２０９を介して、ローカルエリアネットワーク、インターネット、デジタル衛星放送といった、有線又は無線の通信媒体を利用して行われる。
【０２５０】
なお、本明細書において、上述した一連の処理を記述するステップは、記載された順序に沿って時系列的に行われる処理はもちろん、必ずしも時系列的に処理されなくとも、並列的あるいは個別に実行される処理をも含むものである。
【０２５１】
また、本明細書において、システムとは、複数の装置により構成される装置全体を表すものである。
【０２５２】
なお、本発明の実施の形態は、上述した本実施の形態に限定されるものではなく、本発明の要旨を逸脱しない範囲において種々の変更が可能である。
【符号の説明】
【０２５３】
１  出力制御システム，  ２１  テレビジョン受像機，  ２１a  アンテナ，  ２２  AVアンプ，  ２３1，２３2  オーディオアンプ，  ４１1乃至４１25  スピーカ，  ６１  操作部，  ６２  制御部，  ６３  記憶部，  ６４  表示制御部，  ６５  HDMI端子，  ６６  デコード部，  ６７  出力制御部，  ６８  通信部，  ６９，８０  HDMI端子，  ８１  通信部，  ８２  出力制御部，  ８３  制御部，  ８４  記憶部，  １０１  マイクロホン，  １２１  BDプレーヤ
【図１】
2011124925.tif 000003
【図２】
2011124925.tif 000004
【図３】
2011124925.tif 000005
【図４】
2011124925.tif 000006
【図５】
2011124925.tif 000007
【図６】
2011124925.tif 000008
【図７】
2011124925.tif 000009
【図８】
2011124925.tif 000010
【図９】
2011124925.tif 000011
【図１０】
2011124925.tif 000012
【図１１】
2011124925.tif 000013
【図１２】
2011124925.tif 000014
【図１３】
2011124925.tif 000015
【図１４】
2011124925.tif 000016
【図１５】
2011124925.tif 000017
【図１６】
2011124925.tif 000018
【図１７】
2011124925.tif 000019